(57)【要約】【課題】チューブ内の輸液の有無を正しく検出できるとともに、チューブが誤設置されていた場合でも簡便な対処で済ます。【解決手段】輸液容器２に接続されたチューブ３内を介して輸液容器２から輸液を輸送する回路４と、チューブ３の途中位置を所定の位置に保持する保持部５と、該保持部５にチューブ３が保持されているか否かを検出するチューブ検出部と、チューブ３内の輸液の有無を所定の位置において検出する輸液検出部とを備え、回路４は、チューブ３が保持部に保持されていることがチューブ検出部によって検出されている場合に、輸液を輸送する輸液装置１を提供する。【選択図】図１
2012045042.tif 000002
【特許請求の範囲】
【請求項１】
輸液容器に接続されたチューブ内を介して前記輸液容器から輸液を輸送する回路と、
前記チューブの途中位置を所定の位置に保持する保持部と、
該保持部にチューブが保持されているか否かを検出するチューブ検出部と、
前記チューブ内の輸液の有無を前記所定の位置において検出する輸液検出部とを備え、
前記回路は、前記チューブが前記保持部に保持されていることが前記チューブ検出部によって検出されている場合に、前記輸液を輸送する輸液装置。
【請求項２】
前記輸液検出部および前記チューブ検出部が、前記保持部に設けられている請求項１に記載の輸液装置。
【請求項３】
前記輸液検出部が、前記保持部に保持された前記チューブに検出光を照射する光源と、前記チューブを透過してきた前記検出光の透過光を検出する透過光検出器とを備え、前記回路により前記輸液が輸送される前後に前記透過光検出部によって検出した前記透過光の強度の差に基づいて、前記輸液の有無を検出する請求項１に記載の輸液装置。
【請求項４】
前記チューブ検出部が、前記保持部に保持された前記チューブに検出光を照射する光源と、前記チューブによって反射された前記検出光の反射光を検出する反射光検出器とを備える請求項１に記載の輸液装置。
【請求項５】
前記チューブ検出部が、前記保持部に保持された前記チューブに第１の検出光を照射する第１の光源と、前記チューブによって反射された前記検出光の反射光を検出する反射光検出器とを備え、
前記輸液検出部が、前記保持部に保持された前記チューブに第２の検出光を照射する第２の光源と、前記チューブを透過してきた前記検出光の透過光を検出する透過光検出器とを備え、
前記第１の光源および前記第２の光源が共通である請求項１または請求項２に記載の輸液装置。
【請求項６】
前記チューブ検出部が、前記保持部に保持された前記チューブに第１の検出光を照射する第１の光源と、前記チューブによって反射された前記検出光の反射光を検出する反射光検出器とを備え、
前記輸液検出部が、前記保持部に保持された前記チューブに第２の検出光を照射する第２の光源と、前記チューブを透過してきた前記検出光の透過光を検出する透過光検出器とを備え、
前記反射光検出器および前記透過光検出器が共通である請求項１または請求項２に記載の輸液装置。
【発明の詳細な説明】
【技術分野】
【０００１】
本発明は、輸液装置に関するものである。
【背景技術】
【０００２】
従来、生体組織から幹細胞などを含む細胞群を分離する細胞分離装置が知られている（例えば、特許文献１参照。）。一方、チューブ内の輸液剤の有無を検出可能な輸液装置が知られている（例えば、特許文献２参照。）。
【先行技術文献】
【特許文献】
【０００３】
【特許文献１】国際公開第２００５／０１２４８０号
【特許文献２】特開平６−２７７２８２号公報
【発明の概要】
【発明が解決しようとする課題】
【０００４】
特許文献２の装置の場合、チューブが輸液検知器の検出位置に正しく設置されていないにもかかわらず輸液検知器を作動させてしまうと、輸液検知器が輸液の有無を正しく検出できないという問題がある。特に、細胞分離装置などのように、チューブが正常に接続されているか否かを事前に確認する必要がある場合、一度輸液をチューブ内に搬送させる。ここで、輸液がチューブ内を通過したことが輸液検知器によって正常に検出されずにエラーが発生してしまうと、既にチューブ内に送液された輸液を排出したりチューブを交換したりしてチューブ内を空の状態に戻し、確認作業を最初からやり直さなければならず、大掛かりな対処が必要となる。
【０００５】
本発明は、上述した事情に鑑みてなされたものであって、チューブ内の輸液の有無を正しく検出できるとともに、チューブが誤設置されていた場合でも簡便な対処で済ますことができる輸液装置を提供することを目的とする。
【課題を解決するための手段】
【０００６】
上記目的を達成するため、本発明は以下の手段を提供する。
本発明は、輸液容器に接続されたチューブ内を介して前記輸液容器から輸液を輸送する回路と、前記チューブの途中位置を所定の位置に保持する保持部と、該保持部にチューブが保持されているか否かを検出するチューブ検出部と、前記チューブ内の輸液の有無を前記所定の位置において検出する輸液検出部とを備え、前記回路は、前記チューブが前記保持部に保持されていることが前記チューブ検出部によって検出されている場合に、前記輸液を輸送する輸液装置を提供する。
【０００７】
本発明によれば、チューブを輸液容器に接続して保持部に保持させた後、回路を作動させることにより、輸液容器内の輸液をチューブ内を介して輸送することができる。
この場合に、輸液検出部によって正常に輸液の有無を検出可能な位置にチューブが保持されていることがチューブ検出部によって確認された後、輸液がチューブ内に輸送されるので、チューブ内の輸液の有無を正しく検出できる。また、チューブが誤設置されていた場合にはチューブ内に輸液が輸送されないので、チューブの位置を正しく直すだけの簡便な対処で済ますことができる。
【０００８】
上記発明においては、前記輸液検出部および前記チューブ検出部が、前記保持部に設けられていることとしてもよい。
このようにすることで、チューブが保持部に保持されているか否か、および、チューブ内の輸液の有無を、輸液検出部およびチューブ検出部によってより正確に検出することができる。
【０００９】
また、上記発明においては、前記輸液検出部が、前記保持部に保持された前記チューブに検出光を照射する光源と、前記チューブを透過してきた前記検出光の透過光を検出する透過光検出器とを備え、前記回路により前記輸液が輸送される前後に前記透過光検出部によって検出した前記透過光の強度の差に基づいて、前記輸液の有無を検出することとしてもよい。
【００１０】
このようにすることで、チューブ内が空のときと、チューブ内に輸液が存在するときとのチューブの透過率の差に基づいて、輸液の有無が検出される。これにより、輸液が光学的に高い透明度を有している場合でも、チューブ内の輸液の有無を精度良く検出することができる。
【００１１】
また、上記発明においては、前記チューブ検出部が、前記保持部に保持された前記チューブに検出光を照射する光源と、前記チューブによって反射された前記検出光の反射光を検出する反射光検出器とを備えることとしてもよい。
このようにすることで、チューブが光学的に高い透明度を有している場合でも、チューブによって発生させられる反射光に基づいてチューブの有無を光学的に精度良く検出することができる。
【００１２】
また、上記発明においては、前記チューブ検出部が、前記保持部に保持された前記チューブに第１の検出光を照射する第１の光源と、前記チューブによって反射された前記検出光の反射光を検出する反射光検出器とを備え、前記輸液検出部が、前記保持部に保持された前記チューブに第２の検出光を照射する第２の光源と、前記チューブを透過してきた前記検出光の透過光を検出する透過光検出器とを備え、前記第１の光源および前記第２の光源、または、前記反射光検出器および前記透過光検出器が共通であることとしてもよい。
このようにすることで、輸液検出部とチューブ検出部の構成の一部を共通化し、特に保持部にチューブ検出部と輸液検出部の両方を設ける場合には、構成を簡略にすることができるので好ましい。
【発明の効果】
【００１３】
本発明によれば、チューブ内の輸液の有無を正しく検出できるとともに、チューブが誤設置されていた場合でも簡便な対処で済ますことができるという効果を奏する。
【図面の簡単な説明】
【００１４】
【図１】本発明の一実施形態に係る輸液装置の全体構成図である。
【図２】図１の輸液装置のホルダの横断面図であり、透過型光センサと反射型光センサの構成を示している。
【図３】図１の輸液装置の動作を説明するフローチャートである。
【図４】ＬＥＤを共通化した場合の透過型光センサおよび反射型光センサの構成の変形例を示す図である。
【図５】透過型光センサおよび反射型光センサの配置の変形例を示す図である。
【発明を実施するための形態】
【００１５】
以下に、本発明の一実施形態に係る輸液装置１について図面を参照して説明する。
本実施形態に係る輸液装置１は、図１に示されるように、輸液容器２から図示しない他の容器などにチューブ３内を介して輸液を輸送する回路４と、チューブ３の途中位置を所定の位置に保持するホルダ（保持部）５とを備えている。ホルダ５は、図２に示されるように、チューブ３が設置される保持穴５ａを有し、該保持穴５ａの内面に反射型光センサ（チューブ検出部）６１および透過型光センサ（輸液検出部）６２を備えている。
【００１６】
回路４は、一端が輸液容器２に接続されるチューブ３と、チューブ３内に輸液を送液させる送液ポンプ７と、チューブ３の途中位置に設けられ輸液の送液を禁止または許可するバルブＶ１，Ｖ２とを備えている。チューブ３は、操作者が内部を容易に視認できるように、光学的に透明度の高い材質からなるものが使用される。符号Ｖ３〜Ｖ６は、輸液容器２からの輸液がチューブ３内を逆流することを防ぐ逆止弁を示している。
【００１７】
ホルダ５の保持穴５ａは、チューブ３の外径と略同一の内径を有し、周方向の一部がチューブ３を出し入れ可能に開放された略筒状であり、その内面によりチューブ３の外周面が支持されるようになっている。ホルダ５は、例えば、図示しない壁や他の装置のパネル、輸液スタンドなどに固定されている。
【００１８】
反射型光センサ６１は、ＬＥＤ６ａ、および、該ＬＥＤ６ａの近傍に設けられたＰＴ（フォトトランジスタ、反射光検出器）６ｂを備えている。透過型光センサ６２は、反射型光センサ６１と共通のＬＥＤ（発光ダイオード、光源）６ａ、および、該ＬＥＤ６ａと対向して配置されたＰＤ（フォトダイオード、透過光検出器）６ｃを備えている。符号８は、ＬＥＤ６ａ、ＰＴ６ｂおよびＰＤ６ｃの動作を制御する制御回路が形成された基板を示している。
【００１９】
保持穴５ａにチューブ３が設置された状態でＬＥＤ６ａが発光したとき、ＬＥＤ６ａからの検出光の一部がチューブ３の外面によって反射された反射光ＬがＰＴ６ｂに検出される。また、検出光の他の一部がチューブ３を半径方向に透過した透過光Ｌ’がＰＤ６ｃに検出される。
【００２０】
反射型光センサ６１は、ＰＴ６ｂが検出した反射光Ｌの強度が所定の閾値以上の場合、ホルダ５にチューブ３が保持されていることを検出するようになっている。
透過型光センサ６２は、チューブ３がホルダ５に保持されていることが反射型光センサ６１によって検出されているときに、ＰＤ６ｃにより透過光Ｌ’を検出する。これにより、透過型光センサ６２は、ホルダ５に保持されている位置におけるチューブ３の透過率を測定する。ここで、透過型光センサ６２は、回路４が送液ポンプ７により輸液を送液する前後に透過率を測定し、測定した透過率の差が所定の閾値以上の場合、チューブ３内に輸液が存在することを検出するようになっている。
【００２１】
このように構成された輸液装置１の動作および作用について、図３のフローチャートを参照して以下に説明する。
本実施形態に係る輸液装置１を用いて輸液するには、まず、操作者は、チューブ３の一端を輸液容器２に接続し、チューブ３の途中位置をホルダ５に設置する。次に、例えば、チューブ３の設置が完了したことを操作者が輸液装置１に入力することにより（ステップＳ１）、輸液装置１は、回路４が正常に作動するか否かの動作確認を開始する。
【００２２】
具体的には、輸液装置１は、ＬＥＤ６ａを発光させ、反射型光センサ６１によりチューブ３がホルダ５に正しく保持されているか否かを検出する（ステップＳ２）。ここでチューブ３が検出されなかった場合、輸液装置１は、操作者に対してエラーを報知する（ステップＳ３）。操作者は、チューブ３を正しく設置し直した後、再びチューブ３の設置が完了したことを輸液装置１に入力する（ステップＳ１）。
【００２３】
一方、チューブ３が検出された場合、輸液装置１は、次に透過型光センサ６２によりチューブ３の透過率Ｔ１を測定する（ステップＳ４）。ここで測定される透過率Ｔ１は、空のチューブ３の透過率である。続いて、輸液装置１は、バルブＶ１，Ｖ２を開放し（ステップＳ５）、送液ポンプ７により輸液容器２からチューブ３内に、少なくとも輸液がホルダ５の位置を超えるまで少量の輸液を試験輸送する（ステップＳ６）。次に、輸液装置１は、再び透過型光センサ６２により透過率Ｔ２を測定する（ステップＳ７）。ここで測定される透過率Ｔ２は、内部に輸液が満たされたチューブ３の透過率である。透過型光センサ６２は、測定した２つ透過率Ｔ１，Ｔ２の差分を算出する（ステップＳ８）。
【００２４】
そして、輸液装置１は、算出された差分が所定の閾値Ｔｔｈより小さい場合、すなわち、回路４によって輸液が正常に輸送されていない場合は、操作者に対してエラーを報知して（ステップＳ９）バルブＶ１，Ｖ２を閉じる（ステップＳ１０）。操作者は、エラーの原因、例えば、チューブ３の詰りやチューブ３と輸液容器２との接続不良などを解決した後、再びチューブ３の設置が完了したことを輸液装置１に入力する（ステップＳ１）。一方、輸液装置１は、算出された差分が所定の閾値Ｔｔｈ以上の場合、すなわち、回路４によって輸液が正常に輸送されている場合は、回路４の動作確認を終了し、送液ポンプ７を作動させて輸液の本輸送を行う（ステップＳ１１）。
【００２５】
このように、本実施形態によれば、チューブ３が透過型光センサ６２の検出位置に正しく設置されていることが確認された後に輸液の輸送が開始されるので、チューブ３内の輸液の有無を正しく検出することができる。また、輸液の有無が、空のチューブ３の透過率Ｔ１と輸液が満たされた状態のチューブ３の透過率Ｔ２との差分に基づいて判定される。これにより、輸液が高い光透過率を有している場合でも、チューブ３の個体差による透過率の差などに影響されることなく、精度良く輸液を検出することができる。
【００２６】
また、従来、操作者の操作ミスなどによりチューブ３がホルダ５に正しく設置されていない場合でも、そのことが検出されることなく試験輸送が開始されてしまっていた。したがって、操作者は、チューブ３の誤設置に気付いた後、空チューブ３の透過率Ｔ１を測定するために、例えば、送液ポンプ７を逆回転させて輸液をチューブ３内から排出したりチューブ３を新しいものに交換したりすしなければならず、対処に手間がかかった。しかしながら、本実施形態によれば、チューブ３内が空の状態でチューブ３の誤設置が検出されるので、チューブ３をホルダ５に設置し直すだけの簡便な対処で済ますことができる。
【００２７】
なお、本実施形態においては、反射型光センサ６１と透過型光センサ６２とにおいて、ＬＥＤ６ａを共通で使用することとしたが、これに代えて、図４に示されるように、ＬＥＤ（第１の光源、第２の光源）６ａを２つ設け、ＰＴ６ｂまたはＰＤを共通で使用してもよい。
このようにしても、簡便な構成でチューブ３および該チューブ３内の輸液の両方を検出することができる。
【００２８】
また、本実施形態においては、反射型光センサ６１と透過型光センサ６２が共通のホルダ５に設けられていることとしたが、これに代えて、図５に示されるように、ホルダ５には透過型光センサ６１のみを設け、ホルダ５の近傍に反射型光センサ６１を設けてもよい。例えば、反射型光センサ６１は、ホルダ５に保持されたチューブ３の背面側に設けられる。このようにしても、チューブ３がホルダ５に正常に保持されているか否かを反射型光センサ６１により正確に検出することができる。
【符号の説明】
【００２９】
１  輸液装置
２  輸液容器
３  チューブ
４  回路
５  ホルダ（保持部）
５ａ  保持穴
６ａ  ＬＥＤ（光源、第１の光源、第２の光源）
６ｂ  ＰＴ（反射光検出器）
６ｃ  ＰＤ（透過光検出器）
７  送液ポンプ
８  基板
６１  透過型光センサ（輸液検出部）
６２  反射型光センサ（チューブ検出部）
Ｖ１，Ｖ２  バルブ輸液装置
Ｖ３，Ｖ４，Ｖ５  逆止弁
【図１】
2012045042.tif 000003
【図２】
2012045042.tif 000004
【図３】
2012045042.tif 000005
【図４】
2012045042.tif 000006
【図５】
2012045042.tif 000007